(57)【要約】      （修正有）【課題】紙幣類、小銭類等を収納する紙幣収納部、小銭収納部それぞれに形成した浅底状区画部によって出し入れを容易にした財布を提供する。【解決手段】紙幣類を収納する所定深さの紙幣収納部１０、あるいは小銭類を収納する所定深さの小銭収納部２０の少なくともいずれか一方を備え、折り畳み可能になった所定の幅員、所定の高さで形成されている財布本体１であって、紙幣収納部１０は、財布本体の高さ方向に沿って設けられ、収納する紙幣類Ｐの高さに比し大きくはない深さに形成された浅底状の紙幣収納区画部１２を有している。小銭収納部２０は、財布本体の折り畳み方向に沿って設けられ、折り畳み方向に沿った財布本体の幅員に比し大きくはない深さに形成された浅底状の小銭収納区画部を有している。【選択図】図２
0003205041.tif 000002
【実用新案登録請求の範囲】
【請求項１】
紙幣類を収納する所定深さの紙幣収納部、あるいは小銭類を収納する所定深さの小銭収納部の少なくともいずれか一方を備えていて、折り畳み可能になった所定の幅員、所定の高さでの大きさに形成されている財布本体から成る財布であって、紙幣収納部は、財布本体の高さ方向に沿って設けられていて、収納する紙幣類の高さに比し大きくはない深さに形成された浅底状の浅底紙幣収納区画部を有しており、小銭収納部は、財布本体の折り畳み方向に沿って設けられていて、折り畳み方向に沿った財布本体の幅員に比し大きくはない深さに形成された浅底状の浅底小銭収納区画部を有しており、これらの浅底紙幣収納区画部、浅底小銭収納区画部の少なくともいずれか一方を備えていることを特徴とする財布。
【請求項２】
紙幣収納部は、財布本体の高さとほぼ同一の深さを有する深底状の深底紙幣収納区画部と、収納する紙幣類の高さに比し大きくはない深さを有する浅底状の浅底紙幣収納区画部とを有し、財布本体における最外側板片の内がわの全域にほぼ対応して重ねて配した一対の布状の第１裏地片相互の間隙を、財布本体の高さにほぼ対応した深さとなる深底紙幣収納区画部とし、最内側板片における最外側板片がわに配した布状の第２裏地片を納する紙幣類の高さに比し大きくはない深さ位置で二つ折りして，その二つ折り部分を底部とすることで浅底紙幣収納区画部としてある請求項１に記載の財布。
【請求項３】
浅底紙幣収納区画部における二つ折りした第２裏地片の外側部分と、深底紙幣収納区画部における第１裏地片の外側部分とが重ね合わせられていて、これらの外側部分それぞれの上縁部分は重ね合わせられた状態で一体化するように覆い部によって覆われて縫合されている請求項２に記載の財布。
【請求項４】
小銭収納部は、開閉される財布本体の高さ・幅員にほぼ対応した深さを有する深底状の深底小銭収納区画部と、この深底小銭収納区画部に比し深さを浅くして浅底状に形成した浅底小銭収納区画部とを備えていて、深底小銭収納区画部は、財布本体の開閉方向に沿う左右で財布本体１の高さ・幅員に対応した深さで二つ折りされた深底収納裏地片と、深底小銭収納区画部の内方に折り込み状となっていて開閉方向に沿って配されていることで深底収納裏地片の左右縁に接合している左右の深底マチ裏地片とによって形成されていて、浅底小銭収納区画部は、財布本体の開閉方向に沿う左右で財布本体の高さ・幅員に比し浅くした深さで二つ折りされ、開閉方向の側部縁がほぼ山形状に切り欠かれた切欠縁となっている浅底収納裏地片と、開閉方向の側部で浅底小銭収納区画部自体の内方に折り込み状となっていて、折込縁が切欠縁に当接していると共に、浅底収納裏地片の側部縁に左右側縁を接合させることで浅底小銭収納区画部自体の側部に配された左右の浅底マチ裏地片とによって形成されている請求項１乃至３のいずれかに記載の財布。
【請求項５】
隣り合っている深底小銭収納区画部の二つ折りされた深底収納裏地片の一方の折畳部分と、浅底小銭収納区画部の二つ折りされた浅底収納裏地片の一方の折り畳み部分とは、重ね合わせられて互いの上縁部分は覆い部によって覆われている請求項４に記載の財布。
【考案の詳細な説明】
【技術分野】
【０００１】
この考案は、例えばいわゆるミドル型財布タイプにおける紙幣収納部での札である紙幣類の出し入れ、また例えば長財布タイプにおける小銭収納部での小銭類の出し入れ等が容易であるようにした財布に関する。
【背景技術】
【０００２】
従来から、財布には札である紙幣類を収納する紙幣収納部、小銭類を収納する小銭収納部、クレジットカード等を収納するカード収納部等が紙幣、小銭、カード等を収納する用途に応じてこれらが組み合わせられることで区画形成されている。例えば長財布タイプと二つ折り財布タイプとの中間に位置するミドル財布タイプでは、折り込み側の外側で例えば中央で二つ折りされていることで紙幣類を収納する紙幣収納部と、折り込み側の内側にスライドファスナーによって開閉自在な小銭収納部を、また二つ折りしたときの向かい合わせとなる内側面それぞれに多数のクレジットカード類を収納するカード収納部とが設けられている。
【０００３】
一方、紙幣を折り畳むことなく拡げた状態で収納させる長財布タイプでは、紙幣収納部と、例えばカード収納部、小銭収納部等とが設けられており、例えば小銭収納部ではこれの開口部に設けられたスライドファスナーによって開閉自在となっている。
【０００４】
ただ、長財布タイプにおける小銭収納部は、長財布自体を開放して拡げた方向に沿って開放されるとしても、小銭収納部の両サイドで閉塞しているマチ部分があるために十分に拡げられず、この小銭収納部が紙幣の縦長さに対応して財布の高さ方向でやや深く形成されていることとも相俟ち、小銭収納部の奥部に収納された小銭を出し入れするには不便である。また、いわゆるミドル型財布における紙幣収納部は、このミドル型財布の二つ折り方向の外側に配されていて、財布自体の高さ方向に沿った高さに対応しているために紙幣の縦長さに比し相当に深く、紙幣の出し入れは面倒である。
【０００５】
こうした点を解消すべく、例えば特許文献１に示される財布の小銭類収納構造がある。この小銭類収納構造は、財布の高さ方向で底上げされた浅底の第１収納部と、財布の下段位置に底部がある第２収納部とを設け、浅底の第１収納部の第１折込マチ部が第１内側マチ部と第１外側マチ部とからなっていて、第１折込マチ部が第１収納部の縁部に縫合され、第１外側マチ部が第１内側マチ部の上縁に沿って縫合されると共に第２収納部の高さと同じ高さで第２収納部の上下に縫合されるようになっている。
【先行技術文献】
【特許文献】
【０００６】
【特許文献１】特開２０１３−０９４４６２号公報
【考案の概要】
【考案が解決しようとする課題】
【０００７】
ところが、この従来の小銭類収納構造は、浅底の第１収納部のマチ部分に第１収納部の内方に出張る三角形状の第１内側マチ部と、この第１内側マチ部の外方で第１内側マチ部と部分的に重なるようにした第１外側マチ部との二重層状となるから、小銭類の重量に耐える堅牢性は得られても構造的に複雑であり、その縫製作業は面倒である。また、この小銭類収納構造は二つ折りされる例えばミドル型財布タイプにおける紙幣収納部を浅底に構成するには、基本的な収納構成が異なるので、紙幣収納部に適用することはできない。
【０００８】
そこでこの考案は上述したような従来存した諸事情に鑑み案出されたもので、小銭類を収納する浅底状の小銭収納部はそのマチ部分を簡素な構造として縫製作業が容易となるようにし、また紙幣類を収納する浅底状の紙幣収納部も簡単に構成できるようにしてある財布を提供することにある。
【課題を解決するための手段】
【０００９】
上述した課題を解決するため、この考案にあっては、後述する考案を実施するための形態における使用符号を付記して説明すると、紙幣類Ｐを収納する所定深さの紙幣収納部１０、あるいは小銭類Ｃを収納する所定深さの小銭収納部２０の少なくともいずれか一方を備えていて、折り畳み可能になった所定の幅員、所定の高さでの大きさに形成されている財布本体１から成る財布であって、紙幣収納部１０は、財布本体１の高さ方向に沿って設けられていて、収納する紙幣類Ｐの高さに比し大きくはない深さに形成された浅底状の浅底紙幣収納区画部１２を有しており、小銭収納部２０は、財布本体１の折り畳み方向に沿って設けられていて、折り畳み方向に沿った財布本体１の幅員に比し大きくはない深さに形成された浅底状の浅底小銭収納区画部２２を有しており、これらの浅底紙幣収納区画部１２、浅底小銭収納区画部２２の少なくともいずれか一方を備えていることを特徴とする。
紙幣収納部１０は、財布本体１の高さとほぼ同一の深さを有する深底状の深底紙幣収納区画部１１と、収納する紙幣類Ｐの高さに比し大きくはない深さを有する浅底状の浅底紙幣収納区画部１２とを有し、財布本体１における最外側板片１３の内がわの全域にほぼ対応して重ねて配した一対の布状の第１裏地片１５相互の間隙を、財布本体１の高さにほぼ対応した深さとなる深底紙幣収納区画部１１とし、最内側板片１４における最外側板片１３がわに配した布状の第２裏地片１６を、収納する紙幣類Ｐの高さに比し大きくはない深さ位置で二つ折りして，その二つ折り部分を底部とすることで浅底紙幣収納区画部１２として構成することができる。
また、浅底紙幣収納区画部１２における二つ折りした第２裏地片１６の外側部分と、深底紙幣収納区画部１１における第１裏地片１５の外側部分とが重ね合わせられていて、これらの外側部分それぞれの上縁部分は重ね合わせられた状態で一体化するように覆い部１７によって覆われて縫合されていることで構成することができる。
小銭収納部２０は、開閉される財布本体１の高さ・幅員にほぼ対応した深さを有する深底状の深底小銭収納区画部２１と、この深底小銭収納区画部２１に比し深さを浅くして浅底状に形成した浅底小銭収納区画部２２とを備えていて、深底小銭収納区画部２１は、財布本体１の開閉方向に沿う左右で財布本体１の高さ・幅員に対応した深さで二つ折りされた深底収納裏地片２３と、深底小銭収納区画部２１の内方に折り込み状となっていて開閉方向に沿って配されていることで深底収納裏地片２３の左右縁に接合している左右の深底マチ裏地片２４とによって形成されていて、浅底小銭収納区画部２２は、財布本体１の開閉方向に沿う左右で財布本体１の高さ・幅員に比し浅くした深さで二つ折りされ、開閉方向の側部縁がほぼ山形状に切り欠かれた切欠縁２６となっている浅底収納裏地片２５と、開閉方向の側部で浅底小銭収納区画部２２自体の内方に折り込み状となっていて、折込縁が切欠縁２６に当接していると共に、浅底収納裏地片２５の側部縁に左右側縁を接合させることで浅底小銭収納区画部２２自体の側部に配された左右の浅底マチ裏地片２７とによって形成されることで構成することができる。
また、隣り合っている深底小銭収納区画部２１の二つ折りされた深底収納裏地片２３の一方の折畳部分と、浅底小銭収納区画部２２の二つ折りされた浅底収納裏地片２５の一方の折り畳み部分とは、重ね合わせられて互いの上縁部分は覆い部２８によって覆われることで構成することができる。
【００１０】
以上のように構成されたこの考案に係る財布にあって、財布本体１における紙幣収納部１０の浅底紙幣収納区画部１２は、この浅底紙幣収納区画部１２に出し入れされる紙幣類Ｐを、また小銭収納部２０の浅底小銭収納区画部２２は、この浅底小銭収納区画部２２に出し入れされる小銭類Ｃを容易に出し入れさせ、使用勝手を向上させる。
紙幣収納部１０の深底紙幣収納区画部１１、浅底紙幣収納区画部１２それぞれで，紙幣類Ｐのみならず、例えば領収書・レシート等を収納するのに区分けさせ、それらを一時的にでも保管、整理させる。
小銭収納部２０の深底小銭収納区画部２１、浅底小銭収納区画部２２それぞれで小銭類Ｃを収納するとき、浅底小銭収納区画部２２では奥部にまで小銭類Ｃが収納保持されていても、開放時には奥部まで一覧でき、小銭類Ｃの種別の視認、手指等の挿入が容易であり、収納した小銭類Ｃの選別、取り出し等を簡便にさせる。
また、浅底小銭収納区画部２２において、深底小銭収納区画部２１に比し浅底にして二つ折りした浅底収納裏地片２５の開閉方向の側部の切欠縁２６に、浅底小銭収納区画部２２の内方に折り込まれる浅底マチ裏地片２７が当接していることで、浅底小銭収納区画部２２に収納した小銭類Ｃを脱落させることなく、確実に保管収納させる。
紙幣収納部１０における深底紙幣収納区画部１１の第１裏地片１５、浅底紙幣収納区画部１２の第２裏地片１６を重ね合わせた上縁部分を覆う覆い部１７は、深底紙幣収納区画部１１、浅底紙幣収納区画部１２を確実に区画分離させ、それぞれに紙幣類Ｐを確実に収納保管させる。
小銭収納部２０における深底小銭収納区画部２１の深底収納裏地片２３、浅底小銭収納区画部２２の浅底収納裏地片２５を重ね合わせた上縁部分を覆う覆い部２８は、深底小銭収納区画部２１、浅底小銭収納区画部２２を確実に区画分離させ、それぞれに小銭類Ｃを確実に収納保管させる。
【考案の効果】
【００１１】
この考案は以上説明したように構成されているため、財布本体１に形成された紙幣収納部１０における浅底状の浅底紙幣収納区画部１２、同じく小銭収納部２０における浅底状の浅底小銭収納区画部２２それぞれによって収納される紙幣類Ｐ、小銭類Ｃを簡単、容易に出し入れすることができる。
【００１２】
すなわち、これはこの考案において、紙幣収納部１０、あるいは小銭収納部２０の少なくともいずれか一方を備えて形成されている財布本体１から成る財布であって、紙幣収納部１０は、収納する紙幣類Ｐの高さに比し大きくはない深さに形成された浅底状の浅底紙幣収納区画部１２を有し、小銭収納部２０は、折り畳み方向に沿った財布本体１の幅員に比し大きくはない深さに形成された浅底状の浅底小銭収納区画部２２を有しているからである。
【００１３】
また、紙幣収納部１０における深底紙幣収納区画部１１、浅底紙幣収納区画部１２による紙幣類Ｐ、領収書、レシート等の区別した保管にも役立ち、小銭収納部２０における深底小銭収納区画部２１、浅底小銭収納区画部２２による小銭類の段差を配しての収納保管によって、財布本体１に多量の小銭類Ｃを収納するとしても、段差を設けた状態での小銭類Ｃの収納形態となるから、財布本体１を不体裁に膨らませることなく、体裁が良好な外形デザインをそのまま維持できる。
【００１４】
小銭収納部２０において、浅底小銭収納区画部２２は、財布本体１の開閉方向に沿う開閉方向の側部縁が切り欠かれた切欠縁２６となっている浅底収納裏地片２５と、浅底小銭収納区画部２２自体の内方に折り込み状で、折込縁が切欠縁２６に当接して浅底小銭収納区画部２２の側部に配された左右の浅底マチ裏地片２７とで形成されていることで、浅底収納裏地片２５の内部の周囲が囲繞された状態となっている。しかも、切欠縁２６に浅底マチ裏地片２７が単に当接している構成であるから、これの構成は面倒な作業を要せずに可能であり、簡単な構成でありながら、小銭類Ｃを確実に収納保管できる。
【００１５】
紙幣収納部１０での深底紙幣収納区画部１１、浅底紙幣収納区画部１２相互の上縁部分を覆い部１７にて、また小銭収納部２０での深底小銭収納区画部２１、浅底小銭収納区画部２２相互の上縁部分を覆い部２８にてそれぞれ覆ってあることで、深底部分、浅底部分それぞれが開口部でも確実に分離区画されているから、それぞれに確実に出し入れでき、的確な収納状態とすることができる。
【００１６】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１７】
【図１】この考案を実施するための一形態を示すミドル型財布タイプにおける財布本体の斜視図である。
【図２】同じくその一部切欠斜視図である。
【図３】同じく紙幣収納部の断面図である。
【図４】同じく長財布方タイプにおける財布本体の斜視図である。
【図５】同じくその小銭収納部を開放したときの斜視図である。
【図６】同じく小銭収納部の分解斜視図である。
【図７】同じく小銭収納部の断面図である。
【考案を実施するための形態】
【００１８】
以下、図面を参照してこの考案を実施するための一形態を説明すると、図において示される符号１は所定の高さ、幅員を有する財布本体であり、図１乃至図３にあっては幅方向で例えば二つ折りあるいは三つ折りされる、いわゆるミドル型財布タイプとして示されている。このミドル型財布タイプには、折り畳まれる外側に紙幣収納部１０が、また内側に小銭収納部２０、カード収納部２等が区画構成されており、カード収納部２には、折り畳まれる内側の両側面にクレジットカード・キャッシュカード等の各種のカード類を収納するよう、上方あるいは側方に向けられた開口部を有する適数のポケットが配列形成されている。
【００１９】
尚、図示を省略したが、カード収納部２に変えて例えば折り畳み式・開閉式カバー等によって開閉される小銭収納部２０を形成しておくことも可能である。
【００２０】
この財布本体１には、上記のように紙幣類Ｐを収納する紙幣収納部１０、小銭類を収納する小銭収納部２０が設けられており、これらの紙幣収納部１０、小銭収納部２０は財布本体１の形状、構造による長財布タイプ、ミドル型財布タイプ、二つ折り・三つ折り等の折り畳み型財布タイプその他の形態を備えているところ、これらの形態に応じてその両方、あるいはいずれか一方を備えることで構成されている。
【００２１】
図示にあっての二つ折り状にされているミドル型財布タイプの財布本体１において、この財布本体１の外側に位置させて、財布本体１の高さ方向に沿っている深さを有する紙幣収納部１０が設けられている。同じく財布本体１の内側のいずれか一方には、財布本体１の側部で，スライドファスー３によって開閉される小銭収納部２０が折り畳み方向に沿って設けられており、この小銭収納部２０は例えば財布本体１が折り畳まれたときの折り畳みの幅員に相当する深さを有している。
【００２２】
折り畳まれる財布本体１の外側に配した紙幣収納部１０は、財布本体１の高さとほぼ同一の深さを有する深底状の深底紙幣収納区画部１１と、収納する紙幣類Ｐの高さに比し大きくはない深さを有する浅底状の浅底紙幣収納区画部１２とを有する。深底紙幣収納区画部１１、浅底紙幣収納区画部１２それぞれの開口部は、財布本体１における高さ方向の上縁部に位置させて形成されており、折り畳まれずにほぼ扁平状に拡げられた状態にあるとき、開口部を経て紙幣類Ｐが出し入れされるようにしてある。
【００２３】
この紙幣収納部１０自体は、財布本体１の最外側壁を形成する最外側板片１３、財布本体１の最内側壁を形成すると共に前記カード収納部２を配列し、小銭収納部２０を形成している最内側板片１４との間に設けられている。図３に示すように、例えば最外側板片１３の内がわの全域にほぼ対応して重ねて配した一対の布状の第１裏地片１５相互の間隙を、財布本体１の高さにほぼ対応した深さとなる深底紙幣収納区画部１１とする。そして、最内側板片１４における最外側板片１３がわに配した布状の第２裏地片１６を、収納する紙幣類Ｐの高さに比し大きくはない深さ位置で二つ折りして，その二つ折り部分を底部とすることで浅底紙幣収納区画部１２とする。
【００２４】
また、この浅底紙幣収納区画部１２における二つ折りした第２裏地片１６の外側部分と、深底紙幣収納区画部１１における第１裏地片１５の外側部分とが重ね合わせられていて、これらの外側部分それぞれの上縁部分は重ね合わせられた状態で一体化するように覆い部１７によって覆われて縫合されていることで、浅底紙幣収納区画部１２の独立性が担保されている。
【００２５】
また、これらの財布本体１の内外方向で重ね合わせられる第１裏地片１５、第２裏地片１６それぞれの左右縁部すなわち財布本体１における左右縁部位置で、内外に配される前記の最外側板片１３、最内側板片１４相互間に挟み込まれた状態で一体状に例えば縫合部１８によって縫合されている。こうすることで、深底紙幣収納区画部１１、浅底紙幣収納区画部１２それぞれが内外方向で隣り合わせて、財布本体1の内側に浅底紙幣収納区画部１２が、財布本体1の外側に深底紙幣収納区画部１１が配されて紙幣収納部１０内に区画形成される。
【００２６】
一方、小銭類を収納する小銭収納部２０は、例えば底部自体あるいは折込部分を底部として開閉されるいわゆる長財布タイプあるいは二つ折り・三つ折り財布タイプ等の財布本体１において、例えば開閉部分に対応した位置で開口部が設けられている。図４乃至図７に示すように、長財布タイプの財布本体１に設けられた小銭収納部２０にあって、開閉される財布本体１の高さ・幅員にほぼ対応した深さを有する深底状の深底小銭収納区画部２１と、この深底小銭収納区画部２１に比し深さを浅くして浅底状に形成した浅底小銭収納区画部２２とを備えている。
【００２７】
深底小銭収納区画部２１は、財布本体１の開閉方向に沿う左右で財布本体１の高さ・幅員に対応した深さで二つ折りされた深底収納裏地片２３と、深底小銭収納区画部２１の内方に折り込み状となっていて開閉方向に沿って配されていることで深底収納裏地片２３の左右縁に接合している左右の深底マチ裏地片２４とによって形成されている。深底マチ裏地片２４は底部から開口部に至るまで同一の幅員を有し、深底小銭収納区画部２１自体が開放されたとき、開口部側では拡がり、底部側では深底小銭収納区画部２１の内方に折り込み状となっている。
【００２８】
浅底小銭収納区画部２２は、財布本体１の開閉方向に沿う左右で財布本体１の高さ・幅員に比し浅くした深さで二つ折りされ、開閉方向の側部縁がほぼ山形状に切り欠かれた切欠縁２６となっている浅底収納裏地片２５と、開閉方向の側部で浅底小銭収納区画部２２自体の内方に折り込み状となっていて、折込縁が切欠縁２６に当接していると共に、浅底収納裏地片２５の側部縁に左右側縁を接合させることで浅底小銭収納区画部２２自体の側部に配された左右の浅底マチ裏地片２７とによって形成されている。
【００２９】
浅底マチ裏地片２７は底部から開口部に至るまで同一の幅員を有し、浅底小銭収納区画部２２自体が開放されたとき、開口部側では拡がり、前記切欠縁２６位置より下方に延びていて、財布本体１の底部に位置される底部側では浅底小銭収納区画部２２の側部で内方に折り込み状となっている。こうすることで、隣り合っている深底小銭収納区画部２１の二つ折りされた深底収納裏地片２３の一方の折畳部分と、浅底小銭収納区画部２２の二つ折りされた浅底収納裏地片２５の一方の折り畳み部分とは、重ね合わせられて互いの上縁部分は覆い部２８によって覆われて例えば縫合されることで一体状になっている。
【００３０】
尚、浅底紙幣収納区画部１２は、深底紙幣収納区画部１１と共にいわゆるミドル型財布タイプその他の財布本体１に設けられることとして説明したが、長財布タイプの財布本体１等に設けられることもある。また同様に、浅底小銭収納区画部２２は、深底小銭収納区画部２１と共にいわゆる長財布タイプの財布本体１に設けられることとして説明したが、ミドル型財布タイプその他の財布本体１に設けられることもある。尚、これらの浅底紙幣収納区画部１２、浅底小銭収納区画部２２等は、いずれか一方のみが財布本体１に形成される場合に限らず、共に同一の財布本体１に設けられることもある（図示を省略）。
【符号の説明】
【００３１】
Ｐ…紙幣類                              Ｃ…小銭類
１…財布本体                            ２…カード収納部
３…スライドファスー
１０…紙幣収納部                        １１…深底紙幣収納区画部
１２…浅底紙幣収納区画部                １３…最外側板片
１４…最内側板片                        １５…第１裏地片
１６…第２裏地片                        １７…覆い部
１８…縫合部
２０…小銭収納部                        ２１…深底小銭収納区画部
２２…浅底小銭収納区画部                ２３…深底収納裏地片
２４…深底マチ裏地片                    ２５…浅底収納裏地片
２６…切欠縁                            ２７…浅底マチ裏地片
２８…覆い部
【図１】
0003205041.tif 000003
【図２】
0003205041.tif 000004
【図３】
0003205041.tif 000005
【図４】
0003205041.tif 000006
【図５】
0003205041.tif 000007
【図６】
0003205041.tif 000008
【図７】
0003205041.tif 000009